(57)【特許請求の範囲】
【請求項１】
所定の局との間で無線通信を行い、音楽又は音声の再生機能が内蔵された通信端末の着信音出力方法において、
上記所定の局からの着信時に、上記再生機能部に用意された音楽又は音声のデータの内の所定区間のデータによる第１の着信音を出力させるように設定した状態で、
上記再生機能部に用意された音楽又は音声を再生させているときに、上記所定の局からの着信時があったとき、上記所定区間のデータによる着信音以外の第２の着信音を出力させる
通信端末の着信音出力方法。
【請求項２】
請求項１記載の通信端末の着信音再生方法において、
上記再生機能部で再生させている音楽又は音声は、上記第１の着信音として設定された区間の音楽又は音声と同じデータを含む音楽又は音声であり、
上記第１の着信音として設定された区間の音楽又は音声と同じデータを含まない音楽又は音声を再生中には、上記所定の局からの着信時に、上記第１の着信音を出力させる
通信端末の着信音出力方法。
【請求項３】
請求項２記載の通信端末の着信音再生方法において、
上記第１の着信音として設定された区間の音楽又は音声と同じデータを含まない音楽又は音声を再生中であっても、上記再生機能部での再生中には、上記第２の着信音を出力させるモードを、選択出来るようにした
通信端末の着信音出力方法。
【請求項４】
請求項１記載の通信端末の着信音出力方法において、
上記第２の着信音は、通信端末に予め用意されている電子音である
通信端末の着信音出力方法。
【請求項５】
所定の局との間で無線通信を行う無線通信手段と、
記憶媒体に記憶されている音楽又は音声のデータの再生を行う再生手段と、
上記無線通信手段で受信した信号から着信を検出する着信検出手段と、
上記着信検出手段が着信を検出したとき、着信音を出力させる着信音出力手段と、
上記再生手段で再生されるデータの所定区間のデータによる第１の着信音を出力させるモードを設定させて、上記再生手段が音楽又は音声を再生させているときに、上記着信検出手段が着信を検出したとき、上記着信音出力手段から上記第１の着信音以外の第２の着信音を出力させる制御手段とを備えた
通信端末装置。
【請求項６】
請求項５記載の通信端末装置において、
上記再生手段で再生させている音楽又は音声が、上記第１の着信音として設定されたデータを含む音楽又は音声であることを上記制御手段が判別したとき、上記制御手段は上記第２の着信音を出力させ、
上記再生手段で再生させている音楽又は音声が、上記第１の着信音として設定されたデータを含まない音楽又は音声であることを上記制御手段が判別したとき、上記制御手段は上記第１の着信音を出力させる
通信端末装置。
【請求項７】
請求項６記載の通信端末装置において、
上記再生手段で再生させている音楽又は音声が、上記第１の着信音として設定されたデータを含まない音楽又は音声であるときであっても、上記第１の着信音を出力させるモードを、上記制御手段に選択的に設定できるようにした
通信端末装置。
【請求項８】
請求項５記載の通信端末装置において、
上記第２の着信音は、所定の記憶部に予め用意されているデータによる電子音である
通信端末装置。
【発明の詳細な説明】
【０００１】
【発明の属する技術分野】
本発明は、例えば携帯電話端末と称される無線電話装置に適用して好適な通信端末の着信音出力方法及び通信端末装置に関する。
【０００２】
【従来の技術】
従来、無線電話装置として使用される通信端末装置に、別の機能を組み合わせて複合端末とすることが各種行われている。即ち、一般に無線電話装置は携帯用として小型に構成されて、使用者が常時携帯するものであるため、無線電話としての機能の他に、時計機能やスケジュール管理機能などを備えて、端末装置が備える表示装置に表示させるようにしたものがある。
【０００３】
ここで、より高機能化された複合端末として、オーディオ再生装置を携帯端末装置に内蔵させることが提案されている。即ち、近年半導体メモリの大容量化及びオーディオデータの圧縮技術の向上に伴って、例えば数十分〜数時間程度のオーディオデータを、メモリカードが内蔵したメモリに記憶させることが可能になっている。このメモリカードを記録媒体（記憶媒体）として使用した小型の再生装置に、ヘッドホンを取付けて、そのヘッドホンでオーディオを聴取するようにしたものが既に実用化されている。
【０００４】
このようなメモリを記録媒体として使用したオーディオ再生装置を、携帯電話端末に内蔵させることで、携帯電話端末を通話用として使用しないときには、その端末にヘッドホンを取付けて、オーディオを聴取することができ、携帯電話端末の用途が広がる。
【０００５】
また、携帯電話端末にオーディオ再生装置を取付けることで、例えば無線電話回線を介してオーディオデータをセンタから端末にダウンロードさせて、その端末に装着されたメモリカードにオーディオデータを記憶させることで、オーディオデータをユーザに簡単に配信することができ、非常に便利である。
【０００６】
ところで、上述したような携帯電話端末は、電話としての着信時に、呼び出し音を鳴らすようにしてある。この呼び出し音としては、単純に「ピッピッ」と鳴る電子音の他に、数秒〜１０秒程度の短時間のメロディを電子音として鳴らせる場合がある。このようなメロディを鳴らす場合には、端末の製造時に内部のメモリに予め記憶されたメロディの中から、所望のメロディを選択する場合と、ユーザがキー操作で所望のメロディを入力させる場合と、着信用のメロディが用意されたサーバに電話回線でアクセスし、そのサーバから所望のメロディのデータをダウンロードして端末に記憶させる場合とがある。
【０００７】
このようなメロディの電子音を呼び出し音として鳴らすことで、各自が使用する端末の区別がつくことになり、例えば誰が所持した端末に着信があったか等が容易に判るようになる。なお、本明細書では着信時に端末が鳴らす呼び出し音のことを着信音と称する。
【０００８】
ここで、端末の内部のメモリに予め用意されたメロディを鳴らす場合には、メロディの種類が予め用意されたものに限られる問題がある。サーバから所望のメロディのデータをダウンロードする場合にも、同様にサーバ側に用意されたメロディしか設定できない問題がある。また、メロディをキー操作で入力させる場合には、メロディの音程に則した複雑なキー操作が必要になる問題がある。
【０００９】
また、従来のメロディの着信音は、端末の内部でメロディのデータに基づいて所定の音程の電子音を生成させてメロディが出力されるようにしたものであり、二重音などの複音を生成させることができるようにしたものもあるが、基本的に電子的に合成された音であり、音色の変化に乏しい問題がある。
【００１０】
この問題点を解決するために、本出願人は先に携帯電話端末が内蔵したオーディオ再生機能部を利用して、このオーディオ再生機能部からの再生音を、着信音として鳴らすようにしたものを提案した（特願２０００−１５２０１６号）。
【００１１】
このオーディオ再生機能部を利用して着信音を鳴らすことで、出力される着信音は、オーディオ再生機能部にセットされた音楽データに依存することになり、高音質な音楽を着信音とすることが可能になる。
【００１２】
【発明が解決しようとする課題】
ところが、オーディオ再生機能部を利用して着信音を鳴らすようにすると、オーディオ再生機能部を利用して端末で音楽を聞いている最中に、その着信音として音楽を鳴らすようにすると、端末の利用者は、着信を知らせるための音であることが判り難い問題がある。即ち、例えば端末で音楽を聞いている最中に、その着信音として音楽を鳴らすようにすると、着信音として設定された音楽と、聞いている最中の音楽とが、全く同一の音楽である場合には、区別が困難である。また、着信音として設定された音楽と、聞いている最中の音楽とが、別の音楽である場合には、再生機能部が誤動作して別の曲の再生に移ったと勘違いする可能性があり、何らかの対処が必要であった。
【００１３】
本発明の目的は、この種の通信端末装置において、オーディオ再生機能を利用して着信音を鳴らす場合に、利用者が着信音として確実に区別できるようにすることにある。
【００１４】
【課題を解決するための手段】
本発明は、所定の局との間で無線通信を行い、音楽又は音声の再生機能が内蔵された通信端末の着信音出力方法において、所定の局からの着信時に、再生機能部に用意された音楽又は音声のデータの内の所定区間のデータによる第１の着信音を出力させるように設定した状態で、再生機能部に用意された音楽又は音声を再生させているときに、所定の局からの着信時があったとき、所定区間のデータによる着信音以外の第２の着信音を出力させるようにしたものである。
【００１５】
このようにしたことで、音楽又は音声の再生機能を利用して着信音を鳴らすように設定した状態で、音楽又は音声を再生中に着信があったときには、別の着信音が出力されるようになり、着信中であることが確実に判るようになる。
【００１６】
【発明の実施の形態】
以下、添付図面を参照して、本発明の一実施の形態について説明する。
【００１７】
本例においては、例えば各種方式のデジタルデータを基地局との間で無線伝送することで、通話やデータ通信などを行う無線電話装置（携帯電話端末）に適用したものである。そして、本例の携帯電話端末には、無線電話としての機能部の他に、オーディオ再生機能部を内蔵させてある。
【００１８】
図１は、本例の携帯電話端末１００の外観の一例を示した図である。本例の携帯電話端末１００は、第１筐体１１０と第２筐体１２０とを接合部１０１で回動自在に接合させたいわゆる折り畳み型の携帯電話端末として構成してある。図１は、両筐体１１０，１２０を開いた状態で示してあり、その開いたときに内側になる面の第１筐体１１０側には、携帯電話として使用される複数のキーで構成されるキー入力部１１１が配置してある。キー入力部１１１として用意されたキーとしては、０〜９の数字や＊，＃の記号のキーや、発信操作などを行うキーや、各種機能を設定するキーが用意されている。その機能キーの内の１つのキー１１１ａは、電話機能を停止させて、オーディオ再生機能だけを作動させるモードを設定及び解除するためのキーとしてある。
【００１９】
また、一部のキー１１１ｂ，１１１ｃについては、第２筐体１２０側に配置してある。さらに、第１筐体１１０の側面には、回転操作と押下操作とが可能なジョグダイヤル部１１２が配置してあり、このジョグダイヤル部１１２の操作によっても各種操作が可能としてある。ジョグダイヤル部１１２の操作によって、オーディオ再生機能を操作することも可能としてある。
【００２０】
また、第１筐体１１０の下端部には通話用のマイクロホン１１３が配置してあり、第２筐体１２０の上端部には通話用のスピーカ１２２が配置してあり、このマイクロホン１１３とスピーカ１２２とを通話者の口と耳元に近づけることで通話ができるようにしてある。第２筐体１２０の中央部には、表示部１２３を構成する表示パネルが配置してあり、数字，文字，図形などにより、動作状態や登録された電話番号、受信した文字メールなどの電話に関連した各種表示が可能としてある。また、後述するオーディオ再生機能に関連した表示も可能としてある。
【００２１】
第１筐体１１０には、メモリカード装着部１１４が設けてあり、例えば筐体の側面側からメモリカード１０を挿入させて装着できるようにしてある。本例の場合に使用可能なメモリカード１０としては、例えばスティク状（細長の薄板状）に構成された樹脂パッケージ内に不揮発性の半導体メモリを収納させたものを使用する。
【００２２】
第２筐体１２０には、上端にホイップアンテナ１２１が取付けてあり、側面部に各種端子が配置してある。具体的には、ヘッドホンジャック１２４と、オーディオ入力ジャック１２５と、データ通信用ポート１２６とが配置してある。ヘッドホンジャック１２４については、ヘッドホン装置に供給するオーディオ信号（音声信号）の出力部と、ヘッドホン装置が内蔵するマイクロホンが拾った音声信号の入力部と、ヘッドホン装置に取付けられたリモートコントロール装置と通信を行うための入出力部とが、一体化されている。データ通信用ポート１２６については、例えばパーソナルコンピュータ装置などと接続するためのポートであり、例えばＵＳＢ（Universal Serial Bus）と称される規格のインターフェース用ポート、或いはＩＥＥＥ（The Institute of Electrical and Electronics Engineers ）１３９４規格のインターフェース用ポートとする。
【００２３】
ヘッドホンジャック１２４に装着されるプラグ１２１を備えたヘッドホン装置２０としては、その信号線の途中にリモートコントロール部２２が取付けてある。このリモートコントロール部２２には、表示部２３と、キー２４とボリュームと、マイクロホン２６とが取付けてある。そして、信号線の先端部には、左右のヘッドホンユニット２７Ｌ，２７Ｒが取付けてある。
【００２４】
図２は、本例の携帯電話端末１００を閉じた状態の表面側（即ち第２筐体１２０側の面）を示した図である。この面には、オーディオ再生のための操作を行う複数のキー１１１ｄと、再生音量を調整するためのボリュームキー１１１ｅが配置してある。さらに、再生されたオーディオを出力させるスピーカ１４３が配置してある。このスピーカ１４３は、電話の着信時の呼び出し音などを鳴らすためにも使用される。
【００２５】
図３は、本例の携帯電話端末１００を閉じた状態の裏面側（即ち第１筐体１１０側の面）を示した図である。この面には、バッテリ（二次電池）の装着部１５１が設けてあると共に、装着部１４１に装着されたメモリカード１０を取り外すためのリジェクトスイッチ１５２が配置してある。
【００２６】
次に、本例の携帯電話端末１００の内部構成を、図４を参照して説明する。無線電話用の回路としては、アンテナ１２１がアンテナ共用器１３１を介して受信回路１３２と送信回路１３４に接続してある。受信回路１３２では、指示されたチャンネルの受信処理を行い、受信回路１３２で受信された信号を、音声処理部１３３に供給して、無線伝送された音声信号や各種データを復調して抽出し、音声信号についてはスピーカ１２２から出力させる。また、マイクロホン１１３が出力する音声信号を音声処理部１３３に供給して、無線伝送用に変調するなどの処理を行い、その処理された信号を送信回路１３４で所定のチャンネルの送信信号とする送信処理を行い、その送信信号をアンテナ１２１から無線送信させる。これらの音声処理部１３３と受信回路１３２と送信回路１３４での処理は、中央制御ユニット（ＣＰＵ）１３５の制御により実行される。ＣＰＵ１３５は、この携帯電話端末内での各種信号処理を制御するマイクロプロセッサであり、オーディオ再生機能についても、このＣＰＵ１３５が制御する。
【００２７】
また、受信回路１３２には、着信検出回路１３２ａが接続してあり、受信回路１３２で基地局から受信した制御信号などから、この端末１００への着信を着信検出回路１３２ａで検出するようにしてある。着信検出回路１３２ａで着信を検出したときには、着信検出情報をＣＰＵ１３５に供給し、ＣＰＵ１３５に必要な処理を実行する。ここでの着信に必要な処理としては、例えば着信音を鳴らす処理がある。着信音を鳴らす処理の詳細については後述する。
【００２８】
ＣＰＵ１３５には、この端末の動作に必要な情報が記憶されるＲＯＭ１３６と、電話帳情報などのユーザが登録した情報が記憶されるＲＡＭ１３７とが接続してあり、ＣＰＵ１３５が随時記憶情報を読出すようにしてある。この場合、ＲＯＭ１３６は、所定の処理を行ったとき一部の記憶データの書換えが可能なフラッシュメモリとしてあり、電話機能に関する登録情報を書き込ますようにしてある。このＲＯＭ１３６に記憶される電話機能に関する登録情報としては、この電話端末に固有の識別番号であるＩＤデータや、無線電話会社への契約の有無の情報や、契約を行った場合には、電話会社から付与された電話番号の情報などがある。また、オーディオ再生機能に関する契約が必要な場合には、その契約に関する情報をＲＯＭ１３６に書き込ませるようにしても良い。
【００２９】
また、ＲＯＭ１３６の一部のエリアが、着信音のデータの記憶部として設定してあり、この端末への着信があったとき、ＣＰＵ１３５の制御で、このエリアに記憶された着信音のデータの中の、予め選択されたデータを読み出して、スピーカ１２２（又は図示しない着信音用の専用のスピーカ）から、いわゆる電子音の着信音を鳴らすようにしてある。また本例においては、この電子音を着信音として鳴らす処理の他に、後述するオーディオ再生機能を利用して着信音を鳴らす処理が実行できるようにしてある。電子音を着信音として鳴らす場合（第１のモード）と、オーディオ再生機能を利用して着信音を鳴らす場合（第２のモード）とは、キー入力部１１１又はジョグダイヤル部１１２の操作によりモード設定を行うことで、いずれかのモードがＣＰＵ１３５に登録されて選択できるようにしてある。
【００３０】
キー入力部１１１やジョグダイヤル部１１２を操作した情報は、ＣＰＵ１３５に供給され、ＣＰＵ１３５がその操作情報に基づいた動作を実行させるようにしてある。表示部１２３での表示についても、ＣＰＵ１３５が制御する。ここまで説明した構成は、基本的には電話機能に関連した構成である。
【００３１】
次に、オーディオ再生機能に関した構成について説明すると、本例の場合には、オーディオデータを所定の方式（例えばＡＴＲＡＣ（Adaptive Transform Acoustic Coding）３方式）で圧縮されたデータを、メモリカード１０に記憶させるようにしてある。このオーディオデータが記憶されたメモリカード１０がメモリカード装着部１１４に装着されたとき、メモリカード１０の記憶データが、ＣＰＵ１３５の制御によりデコーダ１３８に供給され、デコーダ１３８で圧縮されたデータの逆圧縮処理を行って元のデータに戻し、戻されたデータをデジタル・アナログ変換器１３９に供給して、アナログオーディオ信号とし、その変換されたオーディオ信号を出力端子１２４ａに供給する。この出力端子１２４ａは、図１に示すヘッドホンジャック１２４の内部に配された端子である。
【００３２】
出力端子１２４ａに得られる信号には、デジタル・アナログ変換器１３９の出力と、音声処理部１３３からの通話用音声の出力とが、加算器１４０で加算されて供給されるようにしてあり、電話端末として通話を行っている際には、ヘッドホン装置２０で通話用音声を聞き取ることもできるようにしてある。そして、出力端子１２４ａに接続されたヘッドホン装置にそのオーディオ信号を供給して出力させる。なお、デジタル・アナログ変換器１３９の出力に対して、増幅などのアナログ信号処理を行う場合もある。
【００３３】
また、デジタル・アナログ変換器１３９が出力するオーディオ信号を、増幅器１４２を介して端末の表面に取付けられたスピーカ１４３に供給して出力させることも可能としてある。デジタル・アナログ変換器１３９の出力系統の選択は、ＣＰＵ１３５により制御される。また、後述するように、オーディオ再生機能を利用して着信音を鳴らす場合にも、メモリカード１０から着信音用として予め登録された区間のオーディオデータを読み出して、デジタル・アナログ変換器１３９から出力されるオーディオ信号を、端末の表面に取付けられたスピーカ１４３に供給して、このスピーカ１４３から着信音を鳴らす。
【００３４】
本例のオーディオ再生機能部は、入力したオーディオ信号（又は音声信号）を、装着されたメモリカード１０に記録（記憶）させる機能も備える。この記録機能のために、デジタルオーディオデータの入力端子１２５を備えて、その入力端子１２５に得られるオーディオデータを、デコーダ１３８に供給する。本例のデコーダ１３８は、この記録用に入力データをエンコードするエンコーダとしての機能も可能としてあり、ＣＰＵ１３５の制御でエンコードされたデータを、メモリカード装着部１１４に装着されたメモリカード１０に記憶させるようにしてある。なお、デコーダ１３８でのデコード処理やエンコード処理は、ここでは音楽などのオーディオデータを処理するのに適した方式の処理としてある。
【００３５】
図１に示すヘッドホンジャック１２４は、図４に示す出力端子１２４ａの他に、ヘッドホンに内蔵されたマイクロホンからの音声信号の入力端子１２４ｂと、リモートコントロール用の入出力端子１２４ｃとを備える。入力端子１２４ｂに得られる音声信号については、アナログ／デジタル変換器１４１を介してデコーダ１３８に供給し、オーディオデータの場合と同様にエンコードして、メモリカード１０に記憶させることもできるようにしてある。また、入力端子１２４ｂに得られるマイクロホンからの音声信号については、音声処理部１３３に供給して、マイクロホン１１３から入力した音声と同様に、通話用音声として処理できるようにしてある。リモートコントロール用の入出力端子１２４ｃは、ＣＰＵ１３５が、ヘッドホン装置２０内のリモートコントロール部２２と通信を行うための端子であり、リモートコントロール部２２内の表示部２３での表示をＣＰＵ１３５が制御すると共に、キー２４の操作情報などをＣＰＵ１３５が判断する。なお、リモートコントロール用の信号をオーディオ信号（音声信号）に重畳して、リモートコントロール用の入出力端子１２４ｃを出力端子１２４ａと共通の端子とすることも可能である。
【００３６】
また、本例の携帯電話端末１００は、パーソナルコンピュータ装置などの情報機器と通信を行うためのデータ通信用ポート１２６を備えて、そのポート１２６にインターフェース部１４４が接続してあり、インターフェース部１４４を介してポート１２６と接続された相手側の機器と、ＣＰＵ１３５及びデコーダ１３８が通信をできるようにしてある。このポート１２６を使用した外部の機器との通信では、例えば外部の機器からポート１２６に供給されるオーディオデータを、デコーダ１３８に供給して、記録（記憶）用に圧縮して、メモリカード装着部１１４に装着されたメモリカード１０にそのデータを記憶させたり、或いはメモリカード１０に記憶されたオーディオデータを、デコーダ１３８で逆圧縮し、そのデータをポート１２６に接続された機器に供給すること等が可能である。また、無線電話回線を経由してこの端末が受信したデータを、ＣＰＵ１３５の制御でポート１２６に供給して、外部の機器に供給したり、逆に外部の機器からポート１２６に得られるデータを、ＣＰＵ１３５の制御で無線電話回線側に送出させることもできる。
【００３７】
また、無線電話回線を経由してこの端末の受信回路１３２が受信したオーディオデータなどの各種データを、ＣＰＵ１３５の制御で、メモリカード１１４に記憶させることも可能としてある。この場合、受信したデータが既に記憶用にエンコードされたデータである場合、デコーダ１３８でのエンコード処理を省略してメモリに書き込ませても良い。
【００３８】
このようにして、本例の携帯電話端末には、オーディオデータや音声データを記録（記憶）し再生する機能部が内蔵されている。なお、本例の場合には、メモリカード１０が装着部１１４から着脱自在であるので、例えば他のオーディオ機器でオーディオデータを記憶させたメモリカード１０を、本例の携帯電話端末１００に装着して、再生させることも可能である。
【００３９】
次に、本例の携帯電話端末にて、着信時に着信音を鳴らす処理について説明する。本例の場合には、既に説明したように、電子音を着信音として鳴らすいわゆる通常の着信音処理（第１のモード）と、オーディオ再生機能を利用して着信音を鳴らす処理（第２のモード）とが実行できるようにしてある。図５は、この着信音を鳴らす処理から見た携帯電話端末の構成の概要を示したブロック図である。着信音を鳴らす処理は、ＣＰＵ１３５の制御で実行されて、着信中であるときにスピーカ１４３などから出力されるものである。
【００４０】
ここで、第１のモードが設定されて、電子音を着信音として鳴らす場合には、例えばＣＰＵ１３５に接続されたＲＯＭ１３６の着信音データ記憶エリアに用意された複数の電子音データ（ここでは電子音１〜４）の中の予め選択されたものが、ＣＰＵ１３５で読み出されて、スピーカ１４３から出力させるものである。また、第２のモードが設定されて、オーディオ再生機能を利用して着信音を鳴らす場合には、例えばメモリカード装着部１１４に装着されたメモリカード１０に記憶されたオーディオデータの中の設定された区間のオーディオデータが読み出されて、スピーカ１４３から出力させるものである。
【００４１】
図５の例では、メモリカード１０にトラック１〜３の３曲のオーディオデータが記憶されて、その内のトラック３のオーディオデータの一部の区間（ａ１からａ２までの区間）を、着信音として鳴らすように設定した例としてある。
【００４２】
そして、着信音として鳴らすように設定されたものが、どのデータであるかを示すデータを記憶する着信音設定データの記憶エリアが、ＣＰＵ１３５に接続されたＲＡＭ１３７に用意されている。このデータの記憶エリアは、図５にＲＡＭ１３７の記憶エリアとして示すように、エリア１とエリア２の２つのエリアが用意されている。そして、ＣＰＵ１３５は、設定されたモードに応じて、着信音として鳴らすように設定されたデータが記憶された位置（ＲＯＭ１３６のアドレス又はメモリカード１０のアドレス）を、エリア１に記憶させるようにしてあり、着信中には、エリア１に記憶されたアドレスのデータを優先的に読み出して着信音として鳴らすようにしてある。エリア２に記憶されたアドレスのデータが読み出されて、着信音として鳴らせる場合の処理については後述する。なお、以下の説明では、ＲＡＭ１３７の着信音設定データの２つの記憶エリアを、単にエリア１，エリア２と称する。
【００４３】
次に、オーディオ再生機能を利用して着信音を鳴らす場合の設定処理を、図６のフローチャートを参照して説明する。まず、メモリカード１０に記憶されたオーディオ（音楽又は音声）を再生させて、その再生音をスピーカ又はヘッドホンから出力させ、着信音登録モードを何らかのキー操作で設定させる。着信音登録モードを設定させてから、音楽の再生を行うようにしても良い。
【００４４】
そしてＣＰＵ１３５は、その音楽の再生中であるか否か判断し（ステップＳ１１）、再生中であると判断したときには、ジョグダイヤル部１１２を押下させるクリック操作があったか否か判断する（ステップＳ１２）。クリック操作がない場合には、再生が続く限り、クリック操作の有無を判断する。
【００４５】
ステップＳ１２でクリック操作があると判断したとき、そのクリック操作が１回目の操作であるか否か判断し（ステップＳ１３）、１回目の操作であるとき、そのときのメモリカード１０から読み出して再生しているオーディオデータのメモリ上の記憶アドレスを、ＣＰＵ１３５内に始点アドレス（例えば図５のアドレスａ１）として一時記憶させる（ステップＳ１４）。この一時記憶をした後は、ステップＳ１１の判断に戻る。
【００４６】
そして、ステップＳ１２でクリック操作があると判断し、ステップＳ１３でそのクリック操作が１回目でないと判断したとき、そのクリック操作が２回目であるか否か判断する（ステップＳ１５）。ここで２回目であると判断したとき、そのときのメモリカード１０から読み出して再生しているオーディオデータのメモリ上の記憶アドレスを、ＣＰＵ１３５内に終点アドレス（例えば図５のアドレスａ２）として一時記憶させる（ステップＳ１６）。そして、ＣＰＵ１３５内に一時記憶された始点アドレスと終点アドレスを、ＲＡＭ１３７のエリア１に記憶させる。また、この処理を行う前にＲＡＭ１３７のエリア１に記憶されていたアドレスを、ＲＡＭ１３７のエリア２に移して記憶させる（ステップＳ１７）。なお、この記憶時には、このとき再生した曲（音楽など）やメモリカード１０を識別するデータについても、必要により記憶させておく。
【００４７】
また、ステップＳ１５で２回目のクリックでないと判断したときには、ＣＰＵ１３５の内部でのクリック回数の設定をクリアして（ステップＳ１８）、ここでの処理を中断させて、ステップＳ１１の判断に戻る。
【００４８】
そして、ステップＳ１７の着信音設定処理が終了した後には、設定キーとして用意されたキーの操作、又はジョグダイヤル部１１２の設定用の操作があるか否か判断する（ステップＳ１９）。この操作がないときには、ステップＳ１１の判断に戻る。また、ステップＳ１１で音楽再生中でないと判断した場合にも、このステップＳ１９の判断を行う。
【００４９】
ステップＳ１９で設定キー操作があると判断したときには、ここでの着信メロディの選択処理を確定させる（ステップＳ２０）。この確定処理があると、ＲＡＭ１３７のエリア１に記憶されたアドレスが、メモリカード１０のアドレスか否か判断し（ステップＳ２１）、メモリカード１０のアドレスである場合には、ステップＳ２４に移って、エリア２の記憶アドレスを、強制的にＲＯＭ１３６の電子音のアドレスにする。このときには、エリア２の記憶アドレスが、既にＲＯＭ１３６の電子音のアドレスである場合には、そのままそのアドレスを保持させ、エリア２の記憶アドレスが、メモリカード１０の記憶アドレスである場合には、ＲＯＭ１３６の電子音のアドレスに書換えさせる。ＲＯＭ１３６の電子音のアドレスに書換えさせる場合には、例えば常に同じ電子音を選ぶ（例えば図５の電子音１のアドレスとする）。
【００５０】
また、ステップＳ２１で、ＲＡＭ１３７のエリア１に記憶されたアドレスが、メモリカード１０のアドレスでないと判断したときには、エリア２に何れかのアドレスが登録されているか否か判断し（ステップＳ２２）、登録されていない場合には、ステップＳ２４に移って、エリア２にＲＯＭ１３６の電子音のアドレスを記憶させる。このときには、エリア１とは別の電子音のアドレスを記憶させる。
【００５１】
ステップＳ２２で、エリア２にアドレスの登録が登録されていると判断したときには、ユーザの操作に基づいて、必要によりエリア１の記憶アドレス又はエリア２の記憶アドレスのいずれかを書換えさせて（ステップＳ２３）、処理を終了させる。ステップＳ２３の処理により、ＲＯＭ１３６に用意された電子音の中の任意の電子音を、着信音として選択することができる。また、ユーザがキー操作などで入力させた音程の電子音や、電話回線などを介して外部からダウンロードした電子音などを、このときの処理時に設定させるようにしても良い。
【００５２】
この図６のフローチャートに示す処理を実行することで、メモリカード１０の記憶アドレスを着信音として設定したときには、そのアドレスは常にエリア１として設定されると共に、その場合には、エリア２に必ずＲＯＭ１３６のいずれかの電子音のアドレスが記憶されることになる。なお、メモリカード１０の記憶アドレスがエリア１に記憶された状態が、上述した第２のモードの着信音が設定された状態であり、その他の状態が、上述した第１のモードの着信音が設定された状態である。
【００５３】
次に、着信音として設定されたデータを消去（削除）させる場合の処理を、図７のフローチャートを参照して説明する。まず、消去キーとして用意されたキーの操作、又はジョグダイヤル部１１２の消去用の操作があるか否か判断し（ステップＳ３１）、該当する操作があるまで待機する。そして、消去用の操作があると判断したとき、消去させるエリア（ここではエリア１又はエリア２のいずかれのエリア）を、ユーザの操作で選択させる（ステップＳ３２）。
【００５４】
ここでＣＰＵ１３５は、ステップＳ３２で選択されたエリアが、エリア１であるか否か判断し（ステップＳ３３）、エリア１であると判断したとき、エリア２にアドレスのデータの記憶があるか否か判断する（ステップＳ３４）。そして、エリア２にアドレスのデータの記憶があるとき、エリア１に記憶されたアドレスのデータを消去させ（ステップＳ３５）、エリア２の記憶アドレスを、エリア１に移させる（ステップＳ３６）。
【００５５】
また、ステップＳ３４で、エリア２にアドレスのデータの記憶がないと判断したとき、そのときの着信音の記憶アドレスを消去させずに保持させる（ステップＳ３７）。このときには、このことを端末の表示パネルに表示させても良い。
【００５６】
また、ステップＳ３３で、選択されたエリアがエリア１でないと判断したとき、そのとき選択されたエリアがエリア２か否か判断し（ステップＳ３８）、エリア２であるとき、そのエリア２のデータを消去させる（ステップＳ３９）。エリア２以外が選択された場合には、そのときの操作は無効とする。なお、ステップＳ３８でエリア２が選択された場合に、エリア１に記憶されているデータが、メモリカード１０の記憶エリアである場合にも、そのときの操作を無効として、ステップＳ３９の処理には移らないようにする。
【００５７】
次に、着信があった際の処理を、図８のフローチャートを参照して説明する。まず、ＣＰＵ１３５は、着信検出回路１３２ａが着信を検出したか否か判断し（ステップＳ４１）、着信を検出するまで待機する。着信検出回路１３２ａで着信を検出した際には、ＲＡＭ１３７のエリア１を参照する（ステップＳ４２）。ここで、エリア１の記憶アドレスが、メモリカード１０の記憶アドレスであるか否か判断し（ステップＳ４３）、メモリカード１０の記憶アドレスでない場合には、ＲＯＭの電子音の記憶アドレス（即ち第１のモードが設定されいる状態）であり、ステップＳ４４に移って、該当するアドレスの電子音のデータを読み出して、その読み出したデータの電子音を、着信音として鳴動させる（ステップＳ４５）。
【００５８】
また、ステップＳ４３で、エリア１の記憶アドレスが、メモリカード１０の記憶アドレスであると判断した場合（即ち第２のモードが設定されている状態）には、ＣＰＵ１３５は現在の端末装置の状態が、メモリカード１０に記憶されたオーディオデータを読み出して、オーディオを再生中であるか否か判断する（ステップＳ４６）。この判断で、再生中でないと判断した場合には、メモリカード１０から該当する区間のオーディオデータを読み出して（ステップＳ４７）、その読み出したオーディオデータによる着信音を鳴動させる（ステップＳ４８）。ステップＳ４８での着信音の出力としては、例えば着信状態が検出されて、その着信を受ける操作（又は着信を拒否する操作）があるまで、設定された区間のオーディオデータによる着信音を繰り返し鳴らせる。
【００５９】
そして、ステップＳ４６で再生中であると判断したときには、ミュージックセレクトモードが設定されているか否か判断する（ステップＳ４９）。このミュージックセレクトモードは、例えばユーザの操作で予め設定されるモードであり、ミュージックセレクトモードを設定した際には、再生中の曲と同一の曲の一部の区間が着信音として設定されている場合にだけ、エリア２の着信音を出力させ、その他の場合（即ち着信音として設定された曲以外の曲を再生中）には、エリア１の着信音を出力させるモードである。
【００６０】
図８のフローチャートの説明に戻ると、ステップＳ４９でミュージックセレクトモードが設定されていないと判断したときには、ステップＳ５０に移って、エリア２の記憶アドレスを参照し、そのアドレスの電子音のデータをＲＯＭ１３６から読み出して（ステップＳ４４）、その電子音を着信音として鳴動させる（ステップＳ４５）。また、ステップＳ４９でミュージックセレクトモードが設定されていると判断したときには、現在再生中の曲が、着信音（着信メロディ）として設定された曲と一致するか否か判断する（ステップＳ５１）。例えば、図５の例では、トラック３の曲のアドレスａ１からアドレスａ２が着信音として設定されていたとき、再生中の曲がトラック３の曲であるか否か判断する。この判断で一致しない場合には、ステップＳ４７に移り、エリア１に記憶されたアドレスのデータをメモリカード１０から読み出して、着信音を鳴動させる（ステップＳ４８）。また、ステップＳ５１で現在再生中の曲が、着信音として設定された曲と一致したときには、ステップＳ５０に移って、エリア２の記憶アドレスを参照し、そのアドレスの電子音のデータをＲＯＭ１３６から読み出して（ステップＳ４４）、その電子音を着信音として鳴動させる（ステップＳ４５）。
【００６１】
このようにして、オーディオ再生機能を利用してメモリカード１０に記憶されたオーディオデータを利用して、着信音を鳴らすようにしたことで、ユーザが所望の曲を、オーディオ再生を行う場合と同様の高音質で鳴らせると共に、オーディオ再生を行っている最中に、着信があったときには、予め用意された別の着信音が鳴るようになり、着信音と再生中のオーディオとを利用者が区別できるようになり、確実に着信が報知される。
【００６２】
なお、図８のフローチャートで説明したミュージックセレクトモードの処理は、省略するようにしても良い。即ち、再生中の音楽が着信音として設定された音楽と同一である場合にだけ、電子音などの別の着信音を鳴らすようにだけ設定しておいても良い。逆に、再生中の音楽が着信音として設定された音楽と同一であるか否かにかかわらず、再生中には必ず電子音などの別の着信音を鳴らすように設定しておいても良い。
【００６３】
また、ここまで説明した処理では、オーディオ再生機能を利用した着信音を鳴らす処理として、メモリカード１０から該当する区間のオーディオデータを、着信時に読み出して、その読み出したデータから着信音を生成させるようにしたが、着信メロディ用の登録があった時点で、該当する区間のオーディオデータをメモリカード１０から読み出して、ＣＰＵ１３５に接続された別のメモリに記憶させ、着信時には、そのメモリから読み出したデータで、着信音を鳴らすようにしても良い。このようにすることで、例えばメモリカード１０に後から別の曲を記憶させた場合や、メモリカードそのものが端末から外された場合であっても、登録時の曲を着信音として鳴らせるようになる。
【００６４】
この場合、オーディオデータをメモリカード１０から読み出して別のメモリに転送させて記憶させる場合には、オーディオデータに何らかの方式変換処理を施すようにしても良い。即ち、例えばメモリカード１０には、ＡＴＲＡＣ３方式で記憶されたオーディオデータを、別の圧縮方式で符号化されたオーディオデータとして、ＲＡＭなどに記憶させるようにしても良い。
【００６５】
また、ここまでの説明では、装着されたメモリカードには、オーディオデータを記録（記憶）させて、その記録されたオーディオデータを再生するようにしたが、携帯電話端末が内蔵したマイクロホンが収録した音声データや、電話として使用中の通話音声のデータを、メモリカード内のメモリに記憶させて、必要なときに再生する音声記録再生装置としても良い。この場合、記憶させるデータの処理としては、音楽などのオーディオデータを記憶させる場合のエンコード処理（圧縮処理）とデコード処理（逆圧縮処理）と同じでも良いが、会話用音声に適したより圧縮率の高いエンコード処理やデコード処理を行うようにしても良い。また、話し声などの音声をメモリに記憶させたとき、そのメモリに記憶された音声を着信音として鳴らすように設定して、その場合の処理（例えばその音声を再生中の処理）を、上述した実施の形態と同様に行うようにしても良い。
【００６６】
また、上述した実施の形態では、使用される記録媒体（記憶媒体）としてメモリカードを使用したが、他の記録媒体を使用しても良い。また、メモリを記憶媒体として使用する場合に、そのメモリが端末装置内に予め組み込まれたものを使用して、交換できないようにしても良い。
【００６７】
また、上述した実施の形態では、オーディオ再生中に着信があったときに、再生しているオーディオの処理については特に説明しなかったが、着信音を鳴らしている最中には、オーディオの再生を停止させるようにしても良い。或いは、所定レベル音量を低下させて再生を継続させても良い。また、着信を受ける操作（いわゆるオフフック操作）があったときに、再生を停止させるようにしても良い。また、再生を停止させて通話が開始された後に、その通話を終了させる操作（いわゆるオンフック操作）があったとき、自動的にオーディオの再生を再開させるようにしても良い。このときには、停止させた位置からの再生を継続させるようにしたり、或いはその曲の先頭部分から再度再生させるようにしても良い。
【００６８】
また、通信端末装置に、ヘッドホン装置を接続して、そのヘッドホン装置で再生されたオーディオを聴取するようにしていた際には、ヘッドホン装置からだけ着信音を鳴らすようにしても良い。
【００６９】
また、上述した実施の形態では、通信端末として無線電話回線を使用する携帯電話端末としたが、基地局からの呼び出し信号を受信したとき、同様の着信音（呼び出し音）を鳴らす処理を行う他の無線通信システム用の無線通信端末にも適用できるものである。
【００７０】
【発明の効果】
本発明によると、音楽又は音声の再生機能を利用して着信音を鳴らすように設定した場合に、着信があったときには、その設定された着信音以外の着信音が着信時に鳴るようになり、再生中の音楽又は音声と区別できる態様で着信音が鳴るようになり、端末の利用者は着信があったことを確実に認識できるようになる。
【００７１】
この場合、再生機能部で再生させている音楽又は音声が、着信音として設定された区間の音楽又は音声と同じデータを含む音楽又は音声である場合に、その音楽又は音声以外の着信音を鳴らすようにしたことで、例えば再生中の音楽と同じ音楽が着信音として鳴ることが無くなり、良好に着信音の種類が設定されるようになる。
【００７２】
また、再生機能部を利用して再生させる第１の着信音として設定された区間の音楽又は音声と同じデータを含まない音楽又は音声を再生中であっても、再生機能部での再生中には、その第１の着信音とは別の着信音を出力させるモードを、選択出来るようにしたことで、再生機能部を利用して再生中には、常に一定の着信音が出力されることになり、その一定の着信音で着信中であることを確実に知らせることが可能になる。
【００７３】
また、再生中に鳴らせる別の着信音は、通信端末に予め用意されている電子音であることで、音楽などとは明確に区別できる着信音を出力させることが可能になる。
【図面の簡単な説明】
【図１】本発明の一実施の形態による端末装置の例（開いた状態）を示す斜視図である。
【図２】図１に示した例の端末装置を閉じた状態の表面の例を示す斜視図である。
【図３】図１に示した例の端末装置を閉じた状態の裏面の例を示す斜視図である。
【図４】本発明の一実施の形態による端末装置の内部構成の例を示すブロック図である。
【図５】本発明の一実施の形態による通信装置の構成を、着信音を鳴らす処理から見たブロック図である。
【図６】本発明の一実施の形態による着信音の設定処理例を示すフローチャートである。
【図７】本発明の一実施の形態による着信音のデータ消去処理の例を示すフローチャートである。
【図８】本発明の一実施の形態による着信音を鳴らす処理の例を示すフローチャートである。
【符号の説明】
１０…メモリカード、２０…ヘッドホン装置、２２…リモートコントロール部、２３…表示部、２４…キー、２５…ボリューム、２６…マイクロホン、１００…携帯電話端末、１１０…第１筐体、１１１…キー入力部、１１３…マイクロホン、１１４…メモリカード装着部、１２０…第２筐体、１２１…アンテナ、１２２…スピーカ、１２３…表示部、１２４…ヘッドホンジャック、１２５…オーディオ入力ジャック、１２６…データ通信用ポート、１３２…受信回路、１３２ａ…着信検出回路、１３３…音声処理部、１３４…送信回路、１３５…中央制御ユニット（ＣＰＵ）、１３６…ＲＯＭ、１３７…ＲＡＭ、１３８…デコーダ（エンコーダ）、１３９…デジタル・アナログ変換器、１４１…アナログ／デジタル変換器、１４３…スピーカ、１６１…電源回路、１６２，１６３，１６５…電源供給スイッチ、１６４…モード切換スイッチ
【図１】
0003903691.tif 000002
【図２】
0003903691.tif 000003
【図３】
0003903691.tif 000004
【図４】
0003903691.tif 000005
【図５】
0003903691.tif 000006
【図６】
0003903691.tif 000007
【図７】
0003903691.tif 000008
【図８】
0003903691.tif 000009